(57)【特許請求の範囲】
【請求項１】
硬貨を収納し、かつ、該硬貨を１枚ずつ分離して搬送路に繰出す繰出部を備えた硬貨処理装置において、
該搬送路に連結され、還流に適した該硬貨を収納する第１の収納部と、
該搬送路に連結され、還流に適さない該硬貨を収納する第２の収納部と、
該繰出部から１枚ずつ繰出される該硬貨の時間間隔を判定して、その時間間隔が所定の時間を越えた場合、該繰出部から繰出される該硬貨を該第２の収納部へ搬送し、所定の時間を越えなかった場合、該繰出部から繰出される該硬貨を該第１の収納部へ搬送するよう制御する制御部とを有することを特徴とする硬貨処理装置。
【請求項２】
該繰出部に、収納された該硬貨が残留しているか否かを検知するセンサを有し、
該制御部は、該センサによって該硬貨の残留を検知し、かつ、該繰出部によって１枚ずつ該硬貨が繰出される時間間隔を判定して、その時間間隔が所定の時間を越えた場合、該繰出部から繰出される該硬貨を該第２の収納部へ搬送するよう制御することを特徴とする請求項１の硬貨処理装置。
【請求項３】
該繰出部から繰出された該硬貨が正常硬貨か異常硬貨かを識別する識別部と、
該識別部によって該異常硬貨と識別された該硬貨を収納するリジェクトカセットとを有し、
該第１の収納部は、該硬貨の金種別に該硬貨を収納する金種別スタッカ、該金種別スタッカから溢れた該硬貨を収納するオーバーフローボックス、利用者からの該硬貨を受け入れる入出金口部又は係員が補充する該硬貨を収納する硬貨カセットであり、
該第２の収納部は、該リジェクトカセットであることを特徴とする請求項１の硬貨処理装置。
【発明の詳細な説明】
【技術分野】
【０００１】
本発明は、硬貨処理装置に係り、特に、金融機関に設置されるＡＴＭやテラー用現金処理装置に搭載される硬貨の入出金を行う硬貨処理装置に関する。
【背景技術】
【０００２】
金融機関のＡＴＭなどに搭載される硬貨処理装置では、利用者が投入した硬貨を収納する収納処理、硬貨を補充する補充処理、利用者に硬貨を出金する出金処理、収納部に収納された硬貨を回収する回収処理、硬貨処理装置内の硬貨を計数する自動精査処理等の処理が行われている。
【０００３】
これらの処理が実行されると、硬貨は所定の場所へ搬送されて集積されるが、集積先は処理の種類によって異なる。例えば、収納処理及び補充処理では、硬貨を種類別に収納するための金種別スタッカ又は金種別スタッカから溢れた硬貨を収納するためのオーバーフローボックス、出金処理では、利用者に硬貨を出金するための入出金口部、回収処理では、係員が硬貨を補充するための硬貨カセットが、それぞれの処理における集積先となる。
【０００４】
また、これらの処理では、硬貨は、繰出部によって１枚毎に分離されて集積先へ搬送されるが、繰出部で分離しにくい硬貨がある場合、所定の期間、硬貨の分離作業を繰り返すことによって（リトライ動作）、硬貨を分離し、分離された硬貨は、それぞれの処理における集積先へと搬送される。
【０００５】
特許文献１及び２には、これらの処理と集積先に関する技術として、硬貨収納カセットのみを使用して硬貨を精査又は回収可能とする循環式硬貨入出金機が記載されている。
【０００６】
【特許文献１】特開２００４−３２６５４１号公報
【特許文献２】特開２００４−３２６５４２号公報
【発明の開示】
【発明が解決しようとする課題】
【０００７】
しかしながら、リトライ動作によって分離された硬貨は、傷や曲がりなど変形している可能性があり、次処理で再度分離する際に分離不能であったり、搬送中に搬送障害を生じるといった不具合を招く可能性があり、硬貨処理装置の信頼性を低下させてしまう問題がある。特許文献１及び２には、この問題については言及されていない。
【０００８】
本発明の目的は、所定の期間以内で繰り出すことができなかった硬貨を搬送路へ還流させない収納部へ収納することにより、硬貨の分離時及び搬送時における硬貨による滞留障害を防止する硬貨処理装置を提供することにある。
【課題を解決するための手段】
【０００９】
上記目的を達成するために、本発明の硬貨処理装置は、好ましい例では、硬貨を収納し、かつ、該硬貨を１枚ずつ分離して搬送路に繰出す繰出部を備えた硬貨処理装置において、該搬送路に連結され、還流に適した該硬貨を収納する第１の収納部と、該搬送路に連結され、還流に適さない該硬貨を収納する第２の収納部と、該繰出部から１枚ずつ繰出される該硬貨の時間間隔を判定して、その時間間隔が所定の時間を越えた場合、該繰出部から繰出される該硬貨を該第２の収納部へ搬送し、所定の時間を越えなかった場合、該繰出部から繰出される該硬貨を該第１の収納部へ搬送するよう制御する制御部とを有するように構成することができる。
【００１０】
また、好ましい例では、該繰出部に、収納された該硬貨が残留しているか否かを検知するセンサを有し、該制御部は、該センサによって該硬貨の残留を検知し、かつ、該繰出部によって１枚ずつ該硬貨が繰出される時間間隔を判定して、その時間間隔が所定の時間を越えた場合、該繰出部から繰出される該硬貨を該第２の収納部へ搬送するよう制御するように構成することができる。
【００１１】
また、好ましい例では、該繰出部から繰出された該硬貨が正常硬貨か異常硬貨かを識別する識別部と、該識別部によって該異常硬貨と識別された該硬貨を収納するリジェクトカセットとを有し、該第１の収納部は、該硬貨の金種別に該硬貨を収納する金種別スタッカ、該金種別スタッカから溢れた該硬貨を収納するオーバーフローボックス、利用者からの該硬貨を受け入れる入出金口部又は係員が補充する該硬貨を収納する硬貨カセットであり、該第２の収納部は、該リジェクトカセットであるように構成することができる。
【発明の効果】
【００１２】
本発明によれば、所定の期間以内で繰り出すことができなかった硬貨を搬送路へ還流させない収納部へ収納することにより、硬貨の分離時及び搬送時における硬貨による滞留障害を防止する硬貨処理装置を提供することができる。
【発明を実施するための最良の形態】
【００１３】
次に、本発明を実施するための最良の形態を、以下の実施例に基づき図面を参照しつつ説明する。
【００１４】
図１は、本実施例による硬貨処理装置１０の構成例を示す図である。
【００１５】
硬貨処理装置１０は、例えば、金融機関等に設置されているＡＴＭやテラー用現金処理装置に搭載されている硬貨の入出金を行う装置であり、硬貨は搬送路１６、２６、２８、２９上に搬送される。繰出部１４は、受け入れた硬貨を収納して１枚ずつ分離し、分離した硬貨を搬送路上へ繰出す。識別部１５は、繰出部１４から繰出された硬貨が正常貨か否かを識別する。識別の基準は硬貨の形状であり、例えば、偽造、傷、曲がりが検知された場合、正常貨でない（リジェクト貨）と識別される。残留センサ３８は、繰出部１４に備えられ、繰出部１４に硬貨が存在している場合、硬貨の存在を検知する。つまり、残留センサは、繰出部１４内に硬貨の残留があるか否かを判定するために用いられる検知部である。
【００１６】
硬貨処理装置１０は、硬貨を収納する収納部として、金種別スタッカ２７、オーバーフローボックス３３、入出金口部１２、硬貨カセット３４、補充／回収部３６、補充リジェクト部３５、リジェクトカセット３０、取り忘れ回収部３１及び運用リジェクト部３２を有する。
【００１７】
金種別スタッカ２７は、硬貨の種類（金額）別に硬貨を収納する。オーバーフローボックス３３は、金種別スタッカから溢れた硬貨を収納する。入出金口部１２は、利用者が投入した硬貨を受け入れる等、利用者との硬貨の授受を行う。硬貨カセット３４は、係員が補充する硬貨をセットするための補充／回収部３６及び補充リジェクト部３５から構成されている。補充リジェクト部３５は、補充処理において、識別部１５によってリジェクト貨と判定された硬貨、又は、繰出部１４によって所定時間以内に分離できなかった硬貨を収納し、収納した硬貨は搬送路には還流させない。リジェクトカセット３０は、搬送路に還流させない硬貨を収納する。リジェクトカセット３０は、利用者が取り忘れた硬貨を収納する取り忘れ回収部３１と、識別部１５によってリジェクト貨と判定された硬貨、又は、繰出部１４によって所定時間以内に分離できなかった硬貨を収納する運用リジェクト部３２とから構成されている。これらの収納部のうち、金種別スタッカ２７、オーバーフローボックス３３、入出金口部１２及び硬貨カセット３４の補充／回収部３６は、還流に適した硬貨を収納する収納部であり、リジェクトカセット３０及び補充リジェクト部３５は、還流に適さない硬貨を収納する収納部である。
【００１８】
制御部５０は、繰出部１４で繰出された硬貨が識別部１５を通過してから、次に繰出部１４で繰出された硬貨が識別部１５を通過するまでの時間間隔を判定し、その時間間隔がが所定の時間を超過したか否かを判断することにより、繰出部１４によって所定の時間以内で硬貨が分離されたか否かを判断する。また、残留センサ３８による硬貨の存在の検知に基づき、繰出部１４内に硬貨が残留しているか否かを判断する。
【００１９】
さらに、これらの判断結果が、繰出部１４によって所定時間以内で硬貨を分離でき、かつ、残留センサ３８によって硬貨の残留が検知されなかった場合、制御部５０は、繰出部１４によって分離された硬貨を、硬貨処理装置が実行する処理の種類に応じた搬送先へ搬送するよう制御する。硬貨の搬送先は、入金収納及び補充処理の場合には金種別スタッカ２７又はオーバーフローボックス３３、出金処理の場合には入出金口部１２、回収処理の場合には硬貨カセット３４、自動精査の場合には硬貨カセット３４、金種別スタッカ２７又はオーバーフローボックス３３である。
【００２０】
一方、判断結果が、繰出部１４によって所定時間以内で硬貨を分離できず、かつ、残留センサ３８によって硬貨の残留が検知された場合、制御部５０は、繰出部１４によって分離された硬貨を、硬貨処理装置が実行する処理の種類に応じた搬送先へ搬送するよう制御する。硬貨の搬送先は、補充処理の場合には硬貨カセット３４の補充リジェクト部３５、入金収納、出金、回収及び自動精査処理の場合には、リジェクトカセット３０の運用リジェクト部３２である。
【００２１】
尚、制御部５０は、ＣＰＵ及びタイマーを有し、所定のプログラムがＣＰＵで実行されることによって、これらの機能を実現する。
【００２２】
次に、図２を用いて、繰出部１４での繰出不良発生時のリトライ動作について説明する。
【００２３】
制御部５０は、識別部１５での硬貨の通過から規定時間が経過したか否かを判断する（Ｓ１０）。規定時間が経過した場合、制御部５０は、残留センサ３８が繰出部１４に硬貨の残留を検知したか否かを判断する（Ｓ２０）。硬貨の残留を検知しなかった場合は、硬貨の搬送制御を完了する（Ｓ３０）。
【００２４】
一方、残留を検知した場合、繰出部１４によるリトライ動作を開始する（Ｓ４０）。リトライ動作が開始されると、制御部５０は、繰出動作のタイマーをセットし、繰出動作の時間を監視する。さらに、制御部５０は、硬貨の搬送先を切り替える処理を行う（Ｓ５０）。硬貨の搬送先は、補充処理の場合には硬貨カセット３４の補充リジェクト部３５、入金収納、出金、回収及び自動精査処理の場合には、リジェクトカセット３０の運用リジェクト部３２である。
【００２５】
その後、タイムアウト監視に移行し（Ｓ６０）、タイムアウトの場合は異常終了とし、タイムアウトでない場合、制御部５０は、識別部１５での硬貨の通過があり、かつ、残留センサ３８が繰出部１４に硬貨の残留を検知していないかを判断する（Ｓ７０）。判断の結果、硬貨の通過があり硬貨の残留がない場合、制御部５０は、硬貨の搬送制御を完了する（Ｓ３０）。
【００２６】
次に、硬貨処理装置１０の各処理に応じた硬貨の搬送経路について説明する。以下、入金収納、補充、出金、回収及び自動精査の５つの処理を順に説明する。
【００２７】
まず、入金収納処理について説明する。利用者から投入された硬貨が、入出金口部１２により受け入れられる。受け入れた硬貨は、シューター１３を経て繰出部１４へ落下する。落下した硬貨は、繰出部１４によって１枚毎に分離されて識別部１５へ搬送される。識別部１５では、硬貨の判定が行われる。判定の結果、正常貨は、選別ゲート１７を経て一括一時保留搬送路３７へ搬送され、入金取引完了により一括一時保留搬送路３７の硬貨は、さらに、繰出部１４、識別部１５、搬送路１６及び金種に応じた選別ゲートを経て金種別スタッカ２７へ、また、金種別スタッカ２７から溢れた硬貨は搬送路１６、２８を経てオーバーフローボックス３３へ搬送される。一方、リジェクト貨は、搬送路１６を経て入出金口部１２へ搬送される。ここで、入金取引完了による一括一時保留搬送路３７の硬貨を繰出部１４へ搬送した後の繰出部１４による繰出処理において、繰出不良によるリトライ動作を実施した場合は、分離した硬貨の収納先をリジェクトカセット３０の運用リジェクト部３２にする。
【００２８】
次に、補充処理について説明する。係員により硬貨カセット３４の補充／回収部３６に補充された硬貨は、一括一時保留搬送路３７、繰出部１４、識別部１５、搬送路１６及び金種に応じた選別ゲートを経由し、識別部１５にて正常貨と判定された硬貨は、金種別スタッカ２７又はオーバーフローボックス３３へ、リジェクト貨と判定された硬貨は、硬貨カセット３４の補充リジェクト部３５へ搬送される。ここで、硬貨カセット３４の補充／回収部３６に補充された硬貨を一括一時保留搬送路３７から繰出部１４へ搬送した後の繰出部１４による繰出処理において、繰出不良によるリトライ動作を実施した場合は、分離した硬貨の収納先を、硬貨カセット３４の補充リジェクト部３５にする。
【００２９】
次に、出金処理について説明する。上位装置７０から出金指示された指定金種及び枚数の硬貨は、金種別スタッカ２７から繰出を行い、一括一時保留搬送路３７、繰出部１４、識別部１５、搬送路１６、２９及び金種に応じた選別ゲートを経由し、識別部１５にて正常貨と判定された硬貨は、入出金口部１２へ、リジェクト貨と判定された硬貨は、リジェクトカセット３０の運用リジェクト部３２へ搬送される。ここで、金種別スタッカ２７から繰出された硬貨を一括一時保留搬送路３７から繰出部１４へ搬送した後の繰出部１４による繰出処理において、繰出不良によるリトライ動作を実施した場合は、分離した硬貨の搬送先を、リジェクトカセット３０の運用リジェクト部３２にする。
【００３０】
次に、回収処理について説明する。上位装置７０から回収指示された指定金種及び枚数の硬貨は、金種別スタッカ２７から繰出を行い、一括一時保留搬送路３７、繰出部１４、識別部１５、搬送路１６、２８、２９及び金種に応じた選別ゲートを経由し、識別部１５にて正常貨と判定された硬貨は、硬貨カセット３４の補充／回収部３６へ、リジェクト貨と判定された硬貨は、リジェクトカセット３０の運用リジェクト部３２へ搬送される。ここで、金種別スタッカ２７から繰出された硬貨を一括一時保留搬送路３７から繰出部１４へ搬送した後の繰出部１４による繰出処理において、繰出不良によるリトライ動作を実施した場合は、分離した硬貨の搬送先を、リジェクトカセット３０の運用リジェクト部３２にする。
【００３１】
次に、自動精査処理について説明する。上位装置７０からの自動精査指示により、金種別スタッカ２７とオーバーフローボックス３３の硬貨は順番に繰出が行われ、一括一時保留搬送路３７、繰出部１４、識別部１５、搬送路１６、２８、２９及び金種に応じた選別ゲートを経由し、識別部１５にて正常貨と判定された硬貨は、硬貨カセット３４の補充／回収部３６へ、リジェクト貨と判定された硬貨は、リジェクトカセット３０の運用リジェクト部３２へ搬送される。ここで、金種別スタッカ２７から繰出された硬貨を一括一時保留搬送路３７から繰出部１４へ搬送した後の繰出部１４による繰出処理において、繰出不良によるリトライ動作を実施した場合は、分離した硬貨の搬送先を、リジェクトカセット３０の運用リジェクト部３２にする。
【００３２】
その後、硬貨カセット３４の補充／回収部３６の硬貨は、一括一時保留搬送路３７、繰出部１４、識別部１５、搬送路１６、２８、２９及び金種に応じた選別ゲートを経由し、識別部１５にて正常貨と判定された硬貨は、金種別スタッカ２７又はオーバーフローボックス３３へ、リジェクト貨と判定された硬貨は、リジェクトカセット３０の運用リジェクト部３２へ搬送する。ここで、硬貨カセット３４の補充／回収部３６の硬貨を一括一時保留搬送路３７から繰出部１４へ搬送した後の繰出部１４による繰出処理において、繰出不良によるリトライ動作を実施した場合は、分離した硬貨の搬送先を、リジェクトカセット３０の運用リジェクト部３２にする。
【００３３】
本実施例によれば、硬貨処理装置１０の各処理におけるリトライ動作での硬貨搬送先を、硬貨を搬送路に還流させない収納部へ収納する構成により、繰出部１４での繰り出せない硬貨の滞留障害及び搬送路での滞留障害を低減することができるため、硬貨処理装置１０の信頼性が向上する。
【図面の簡単な説明】
【００３４】
【図１】本実施例による硬貨処理装置の構成例を示す図。
【図２】リトライ動作について説明するための図。
【符号の説明】
【００３５】
１０：硬貨処理装置、  １１：シャッタ部、  １２：入出金口部、  １３：シューター、  １４：繰出部、  １５：識別部、  １６、２６、２８、２９：搬送路、  ２７：金種別スタッカ、  ３０：リジェクトカセット、  ３１：取り忘れ回収部、  ３２：運用リジェクト部、  ３３：オーバーフローボックス、  ３４：硬貨カセット、  ３５：補充リジェクト部、  ３６：補充／回収部、  ３７：一括一時保留搬送路、  ３８：残留センサ、  ５０：制御部、  ７０：上位装置。
【図１】
0005059664.tif 000002
【図２】
0005059664.tif 000003